(57)【特許請求の範囲】
【請求項１】
壁裏に設けたボックス内に水栓本体を収納し、前記ボックスを前面カバーで覆蓋するとともに、前記ボックス内に、壁裏の給水管を前記水栓本体に接続する接続部と、該接続部からの漏水を受ける水受けを設けてなる壁埋込水栓において、
前記水受けには、前記漏水を前記壁の表面側に導くための樋部が前記前面カバー方向に延出して形成されているとともに、
該樋部の先端はその左右両側面が前記前面カバー側へ向かって縮幅するようにテーパ面を形成し、樋部の先端中央には漏水を落下させるための落下用切欠きが形成されていることを特徴とする壁埋込水栓。
【請求項２】
前記樋部の底面には、前記落下用切欠きに向かって延びるガイド溝が形成されていることを特徴とする請求項１に記載の壁埋込水栓。
【請求項３】
前記前面カバーの裏面には、前記漏水を前記壁の表面に導くための縦方向の水案内用リブが形成されていることを特徴とする請求項１または請求項２に記載の壁埋込水栓。
【発明の詳細な説明】
【技術分野】
【０００１】
本発明は、壁埋込水栓に関するものである。
【背景技術】
【０００２】
従来、特許文献１に開示されているように、壁裏に設けたケーシング内部に水栓本体を収納し、壁の表面をカバーで覆蓋するとともに、ケーシング内に、壁裏の給水管を水栓本体に接続する接続部と、接続部からの漏水を受ける水受けを設けた壁埋込水栓が存在する。
【特許文献１】特開２００２−３０９６３４号公報
【発明の開示】
【発明が解決しようとする課題】
【０００３】
上記特許文献１に開示されている壁埋込水栓においては、給水管と水栓本体とが壁裏で接続されるため、万が一その接続部分から漏水が生じた時に、その漏水を水受けで受け止めて、漏水を壁の表面に導くことができ、これにより、水栓の使用者に漏水が生じていることを気付かせるように構成したものであるが、接続部分からの漏水が極めて少量である場合には、すぐに壁の表面側に流れ出てこないために、漏水を早期に発見できない虞があるという問題点があった。
【課題を解決するための手段】
【０００４】
本発明は上記従来の問題点に鑑み案出したものであって、少量の漏水でも確実に壁の表面に筋状に流して、水栓の使用者が早期に漏水に気付くことのできる壁埋込水栓を提供することを目的とし、その請求項１は、壁裏に設けたボックス内に水栓本体を収納し、前記ボックスを前面カバーで覆蓋するとともに、前記ボックス内に、壁裏の給水管を前記水栓本体に接続する接続部と、該接続部からの漏水を受ける水受けを設けてなる壁埋込水栓において、前記水受けには、前記漏水を前記壁の表面側に導くための樋部が前記前面カバー方向に延出して形成されているとともに、該樋部の先端はその左右両側面が前記前面カバー側へ向かって縮幅するようにテーパ面を形成し、樋部の先端中央には漏水を落下させるための落下用切欠きが形成されていることである。
【０００５】
また、請求項２は、前記樋部の底面には、前記落下用切欠きに向かって延びるガイド溝が形成されていることである。
【０００６】
また、請求項３は、前記前面カバーの裏面には、前記漏水を前記壁の表面に導くための縦方向の水案内用リブが形成されていることである。
【発明の効果】
【０００７】
本発明は、壁裏に設けたボックス内に水栓本体を収納し、前記ボックスを前面カバーで覆蓋するとともに、前記ボックス内に、壁裏の給水管を前記水栓本体に接続する接続部と、該接続部からの漏水を受ける水受けを設けてなる壁埋込水栓において、前記水受けには、前記漏水を前記壁の表面側に導くための樋部が前記前面カバー方向に延出して形成されているとともに、該樋部の先端はその左右両側面が前記前面カバー側へ向かって縮幅するようにテーパ面を形成し、樋部の先端中央には漏水を落下させるための落下用切欠きが形成されていることにより、ボックス内で水栓本体と給水管の接続部から漏水した場合、この漏水を水受けで受けて、樋部を通して漏水を壁の表面側に導く際に、樋部の先端の左右両側面がテーパ面で先端側が縮幅されているため、少量の漏水でも樋部の先端中央部に良好に集められて、樋部の先端中央に形成されている落下用切欠きから良好に筋状に壁の表面に漏水を流すことができるものとなり、これにより、水栓使用者は壁の表面に筋状に流れ落ちる漏水を視認し易くなり、漏水を早期に発見して対策を講じることができるものとなる。
【０００８】
また、前記樋部の底面には、前記落下用切欠きに向かって延びるガイド溝が形成されていることにより、ガイド溝に沿わせて少量の漏水でも樋部先端の落下用切欠きから確実に壁の表面に筋状に流すことができるものとなる。
【０００９】
また、前記前面カバーの裏面には、前記漏水を前記壁の表面に導くための縦方向の水案内用リブが形成されていることにより、樋部から漏水を前面カバーの裏面の縦方向の水案内用リブに導き、水案内用リブに沿って下方側の壁の表面に漏水を流下させることができるものとなり、少量の漏水でも上手く壁の表面に筋状に流すことができるものとなる。
【実施例】
【００１０】
以下、本発明の実施例を図面に基づいて説明する。
図１は、壁埋込水栓の設置状態の正面構成図であり、図２は、図１のＡ−Ａ線断面構成図である。
壁埋込水栓１は、例えば脱衣室の壁２の裏側に、前面側が開放された箱状のボックス３を設け、このボックス３内には、水栓本体４が収納されており、この水栓本体４には、壁２の裏側に縦方向に配管される給水管５が接続されるワンタッチジョイントで構成された接続部４ｂが形成され、また、水栓本体４の水量調節を行うバルブ部４ａ側には垂下状に接続部４ｃが形成されており、この接続部４ｃには、壁２の表側で吐水口部１２を着脱可能に接続できるように構成されている。なお、この吐水口部１２には、洗濯機用ホースが接続されるものである。
【００１１】
壁２の表側には、ボックス３の表側開口を覆蓋するように、四角パッキン８を介在させて気密状に前面カバー９が覆設されており、この前面カバー９の前面に、水栓本体４のバルブ部４ａを操作できるハンドル１０が設けられ、ハンドル１０の中央部はキャップ１１で覆蓋されている。
なお、ボックス３内には、接続部４ｂの下方側に水受け６が設けられ、この水受け６には、前面カバー９側へ延出した樋部７が形成されており、この樋部７の先端から漏水を壁２の表面と前面カバー９の裏面間に流下させることができるように構成されている。
【００１２】
なお、図３では、前面カバー９と四角パッキン８と水受け６の分解斜視図を示す。
なお、図４には、前面カバーの裏面図を示し、先ず前面カバー９を説明すると、前面カバー９の上部には収納凹部Ｓが形成されており、この収納凹部Ｓの前面には水栓本体４のハンドル１０側を通すための前面開口９ａが形成されており、収納凹部Ｓの下面には吐水口部１２を通すための下開口９ｂが貫通形成されている。また、収納凹部Ｓから下方側へ垂下状に垂下片９ｃが形成されており、垂下片９ｃの下端で室内側へ傾斜して傾斜片９ｄが形成され、傾斜片９ｄの下端から垂直に下端垂下片９ｅが一体形成されており、下端垂下片９ｅの下端では、壁２側へ折り曲げて下端外周片９ｆが形成されたものとなっている。
この下端外周片９ｆの幅方向中央部には、貫通状に下端開口９１が形成されている。この下端開口９１内に下端を臨ませて、下端垂下片９ｅの裏側には、縦方向の水案内用リブ９２が一体形成されており、この水案内用リブ９２は、横方向に間隔をおいて３本のリブで構成されている。なお、水案内用リブ９２の外側には、補強リブ９３が形成されている。
【００１３】
次に、水受け６を図５の斜視図で、また図６の平面構成図で説明すると、水受け６は、底面６ａの外周に立ち上げて外周壁６ｂが形成されてトレー状となっており、底面６ａの中央部には上方へ立ち上げて円形の管通し筒部６ｃが一体形成され、この管通し筒部６ｃ内に前述した給水管５を通すことができるように構成されている。
また、底面６ａと連通状に前端側には、下向きに傾斜して前方側へ突出する樋部７が一体形成されており、樋部７の底面中央部には１本のガイド溝７ｅが凹み状に形成され、このガイド溝７ｅの先端の樋部７の先端中央部には、Ｖ字状に切り欠いて落下用切欠き７ｃが形成されており、また、樋部７の先端の左右側面には、先端側へ向かって樋部７が縮幅するように、傾斜状に左テーパ面７ａと右テーパ面７ｂが形成されて、この左テーパ面面７ａと右テーパ面７ｂと落下用切欠き７ｃにより、樋部７の先端は略Ｗ字状に形成されている。また、樋部７の根元部には、外周壁６ｂと連続して立上壁７ｄが形成されている。
【００１４】
この水受け６は、図２のように、前面カバー９の水案内用リブ９２にほぼ当接状に樋部７を臨ませて配置されるものである。
水栓本体４の接続部４ｂと給水管５が接続された状態で、この接続部４ｂから漏水が生じ、壁２の裏側に沿って下方側へ流下すると、壁裏が腐敗する不具合が生ずることとなるが、接続部４ｂから流下する漏水は水受け６の底面６ａで良好に受け止められて、漏水は樋部７のガイド溝７ｅに沿って良好に先端の落下用切欠き７ｃに導かれ、また、樋部７上を広がって流れてくる漏水は、樋部７の先端側の左テーパ面７ａ及び右テーパ面７ｂにより中央側の落下用切欠き７ｃに良好に集められて、この落下用切欠き７ｃから下方側へ流下されるものであり、漏水が少量であっても確実に落下用切欠き７ｃから下方側へ流下させることができるものである。
【００１５】
この場合に、樋部７の先端は、前面カバー９の水案内用リブ９２に臨ませてあるため、漏水は縦方向の水案内リブ９２に沿って確実に下端開口９１に導かれ、下端開口９１から壁２の表面に漏水は筋状に流下されることとなる。
従って、漏水が壁表面に筋状に流下されるため、水栓使用者はこの筋状に流下される漏水を視認し易くなり、内部で漏水が生じていることを良好に知ることができて、良好に対応措置を取ることができるものとなる。
【００１６】
このように、接続部４ｂからの漏水を、水受け６で受け止めて、樋部７を介して狙いを付けて前面カバー９の水案内用リブ９２に導き、確実に下端開口９１から壁２の表面に筋状に流下させることができ、極めて少量の漏水でも筋状に視認し易い状態で壁２の表面に流出させることができるものである。
なお、水受け６の樋部７のガイド溝７ｅは、１本に限るものではなく、また案内用リブ９２も３本に限るものではない。
【００１７】
なお、水案内用リブ９２により下端開口９１に漏水を狙いを付けて導くことができるため、下端開口９１の開口面積は極めて小さく設定することができ、ボックス３内部の気密性を良好に確保できるものとなる。
【図面の簡単な説明】
【００１８】
【図１】壁埋込水栓の設置状態の正面構成図である。
【図２】図１のＡ−Ａ線断面構成図である。
【図３】前面カバーと四角パッキンと水受けの分解斜視図である。
【図４】前面カバーの裏面図である。
【図５】水受けの斜視構成図である。
【図６】水受けの平面構成図である。
【符号の説明】
【００１９】
１  壁埋込水栓
２  壁
３  ボックス
４  水栓本体
４ａ  バルブ部
４ｂ，４ｃ  接続部
５  給水管
６  水受け
６ａ  底面
６ｂ  外周壁
６ｃ  管通し筒部
７  樋部
７ａ  左テーパ面
７ｂ  右テーパ面
７ｃ  落下用切欠き
７ｅ  ガイド溝
８  四角パッキン
９  前面カバー
９ｅ  下端垂下片
９ｆ  下端外周片
１０  ハンドル
１２  吐水口部
９１  下端開口
９２  水案内用リブ
Ｓ  収納凹部
【図１】
0004684937.tif 000002
【図２】
0004684937.tif 000003
【図３】
0004684937.tif 000004
【図４】
0004684937.tif 000005
【図５】
0004684937.tif 000006
【図６】
0004684937.tif 000007